(57)【特許請求の範囲】
【請求項１】
前方が開口し内方にインキ収容室を有したインキ収容筒に、前記インキ収容筒の内面に密接して移動するスリーブを前方に設けた押棒が配設され、前記スリーブに形成した孔に、前記インキ収容筒に形成した内段に当接する駒を前方に設けたパイプが挿通され、前記押棒を上方に向けた状態で該押棒を前進させることにより、前記駒を自重で前進させて前記インキ収容室の内段に当接させ、前記インキ収容室の空気を前記パイプを通して前方へ排出した上で前記押棒を後退させることにより、前記インキ収容室にインキを吸入するプッシュ式のインキ吸入装置において、前記インキ収容室に、前記パイプが挿通し、前記スリーブと前記駒との間で前記パイプに摺接しながら前後動し、前記押棒を下方に向けた状態で自重により前記スリーブの前方に設けた前方凹部に収容される移動駒部材を配設したことを特徴とするインキ吸入装置。
【発明の詳細な説明】
【技術分野】
【０００１】
本発明は、万年筆のペン芯の後方に装着してインキの吸入を行うインキ吸入装置に関する。
【背景技術】
【０００２】
従来より、万年筆では、ペン芯の後方に装着して使用するインキ吸入装置が利用されている。通常、インキ吸入装置は、操作部を操作することで、インキ収容室に配設した弁を移動させてインキの吸入を行う構造であり、操作方法としては、操作部を回転操作して弁を後退させることでインキを吸入する回転式や、操作部をスライドさせて弁を後退させることでインキを吸入するスライド式や、操作部を押動してスリーブを前後動させることでインキを吸入するプッシュ式などが存在している。
【０００３】
前記操作方法の中でもプッシュ式のインキ吸入装置は、本願出願人が特許文献１（実公平６−１５７１６号公報）で開示しているように、押棒をプッシュすることでスリーブが前進し、押棒を開放することにより弾発体でスリーブが後退され、インキ収容室を負圧にしてインキを吸入する構造であり、繰り返し押棒をプッシュすることで、徐々にインキをインキ収容室へ吸入することが可能となるため、インキ吸入装置の全長を長くすることなく大容量のインキをインキ収容室に吸入できることから、長短様々な万年筆で使用することができ、実際の市場においても当該構造のインキ吸入装置は好評を得ている。
【０００４】
前記プッシュ式のインキ吸入装置においては、前述の通りプッシュを繰り返すことでインキ収容室にインキを吸入する構造であることから、外部から視認できるように、インキ収容室を形成するインキ収容筒の透明性が必要であると同時に、インキ収容筒は、前方部をペンが隣設するペン芯あるいは首に嵌着させる必要があることから、インキ収容筒の柔軟性が必要となる。このようなことから、インキ収容筒の材質の選択が制限されることとなり、インキの種類によっては、インキ収容筒の内面に対するインキの濡れ性が悪くなって、例えばペンを上に向けた状態から筆記のためにペンを下に向けた状態にした時に、インキ収容室の後方に溜まったインキが重力にさからって表面張力でとどまり、ペン芯側へ流れて行き難く、筆記を妨げてしまう場合があった。
【０００５】
ところで、前記回転式のインキ吸入装置では、特許文献２（特許第５７４４６７７号公報）で開示されているように、インキ収容室に軸方向に前後動可能な移動駒部材を配置して、インキ収容室の後方に溜まったインキをペン芯側へ流れ易くした万年筆が提案されている。
しかしながら、プッシュ式のインキ吸入装置では、インキの吸入時に、パイプに連結した駒が自重で落下してインキ収容筒に形成した内段に当接する必要があることから、駒と内段との間に特許文献２に記載されているような移動駒部材を配設した場合には、移動駒部材が駒と内段との当接状態を阻害してしまい、インキの吸入が十分に行えなくなる。また、前記プッシュ式のインキ吸入装置では、ペン先を上に向けた状態でスリーブと駒との間に空間があり、インキ収容室内のインキが減少してインキの表面がスリーブと駒との間に位置するようになった際には、ペンを下に向けて筆記を行う時に、駒よりペン芯側にある移動駒部材がインキに触れることなく前方へ移動することとなり、インキの種類によっては、インキの自重のみでペン芯側へ移動することができない場合がある。
【先行技術文献】
【特許文献】
【０００６】
【特許文献１】実公平６−１５７１６号公報
【特許文献２】特許第５７４４６７７号公報
【発明の概要】
【発明が解決しようとする課題】
【０００７】
本発明はこうした事実に鑑み、ペンが上に向けられた状態から下に向けられた状態へと姿勢変化された際に、インキ収容室の軸方向後方に溜まったインキを軸方向前方へ速やかに移動させて確実にペン芯まで導くことができるプッシュ式のインキ吸入装置を得ることを課題とする。
【課題を解決するための手段】
【０００８】
本発明は、
「前方が開口し内方にインキ収容室を有したインキ収容筒に、前記インキ収容筒の内面に密接して移動するスリーブを前方に設けた押棒が配設され、前記スリーブに形成した孔に、前記インキ収容筒に形成した内段に当接する駒を前方に設けたパイプが挿通され、前記押棒を上方に向けた状態で該押棒を前進させることにより、前記駒を自重で前進させて前記インキ収容室の内段に当接させ、前記インキ収容室の空気を前記パイプを通して前方へ排出した上で前記押棒を後退させることにより、前記インキ収容室にインキを吸入するプッシュ式のインキ吸入装置において、前記インキ収容室に、前記パイプが挿通し、前記スリーブと前記駒との間で前記パイプに摺接しながら前後動し、前記押棒を下方に向けた状態で自重により前記スリーブの前方に設けた前方凹部に収容される移動駒部材を配設したことを特徴とするインキ吸入装置。」である。
【０００９】
パイプが挿通する移動駒部材に形成する孔の内径は、パイプを挿通して該移動駒部材が摺動できる内径寸法に形成すると共に、当該移動駒部材の外径は、スリーブの前方凹部に収容される外径寸法とする。
したがって、移動駒部材とインキ収容筒の内面との間には隙間が形成されることから、筆記によるインキ収容室内のインキの減少に伴いペン芯から入る気泡の後方への移動が妨げられることはなく、移動駒部材が前後動する際にインキ収容筒の内面と接触しないことから、透明なインキ収容筒の内面が傷付くこともない。
移動駒部材は、ペンを上に向けた状態から筆記のためにペンを下に向けた状態にした時に、インキ収容室の後方に溜まったインキをペン芯側へ移動させる重さが必要であり、インキにより腐食されない材質で形成することが好ましい。パイプをステンレスで形成した場合には、移動駒部材もステンレスで形成することで、異種金属接触腐食が防止できる。
また、移動駒部材の外表面に梨地加工やローレット加工を施すことにより、インキの濡れ性がよくなり、さらにインキを移動させ易くなる。
【発明の効果】
【００１０】
本発明によれば、ペンが上に向けられた状態から下に向けられた状態へと姿勢変化された際に、インキ収容室の軸方向後方に溜まったインキを軸方向前方へ速やかに移動させて確実にペン芯まで導くことができるプッシュ式のインキ吸入装置を得ることができた。
【図面の簡単な説明】
【００１１】
【図１】万年筆に本実施例のインキ吸入装置を装着した状態を示す図である。
【図２】本実施例のインキ吸入装置を操作した状態であり、押棒をプッシュした状態を示す図である。
【図３】図２の押棒をプッシュした状態から、押棒を開放した状態を示す図である。
【図４】ペン先を上に向けた状態を示す図である。
【発明を実施するための形態】
【００１２】
以下、図面を参照して本実施例のインキ吸入装置について説明をする。本実施例においてはインキ吸入装置を万年筆に装着した状態について説明を行うが、本実施例のインキ吸入装置は、万年筆だけでなく、水性マーカーなど万年筆インキのように低粘度のインキを使用する筆記具に対して用いることができる。また本実施例では、ペンがある方を前方と表現し、その反対側を後方と表現する。説明を分かり易くするために、図面中の同様の部材、同様の部分については同じ符号を付してある。
【００１３】
図１は、本実施例のインキ吸入装置を万年筆に装着した状態を示す図である。本実施例のインキ吸入装置１は、インキ収容筒２と、インキ収容筒２の後部に螺合した尾筒３と、押棒本体４とスリーブ５とからなる押棒６と、押棒本体４の外面に設けた突部４ａとインキ収容筒２の後端部２ａとの間に配設したスプリング７と、スリーブ５の前方に設けた前方凹部５ａに形成した孔５ｂに遊嵌させたパイプ８と、パイプ８と嵌着した駒９と、パイプ８に前後動可能に遊嵌した移動駒部材１０とを有している。
図１に示すようにインキ吸入装置１は万年筆１１に装着してある。万年筆１１は、首部材１２の内方に内首部材１３を挿着してあり、内首部材１３の内方にペン芯１４とペン１５とを挿着してある。インキ吸入装置１は、インキ収容筒２の前方小径部２ｂを、首部材１２と内首部材１３との間に挿着しており、インキ収容室２ｃの内部のインキ（図示せず）をペン芯１４に供給してペン１５で筆記を行うことができる。
【００１４】
パイプ８は、外方に突出する突出部８ａを後方に形成してあり、突出部８ａがスリーブ５に形成した孔５ｂの周縁部５ｃに係止するようにしてある。パイプ８は、突出部８ａの前方に窓孔８ｂを形成してあり、窓孔８ｂとパイプ８の前端開口８ｃ及び後端開口８ｄとが連通するようにしてある。
押棒６は、前記スプリング７によって常時後方へ弾発された状態になっており、押棒本体４は、側面に形成した突部４ａを尾筒３の後端開口３ａに形成した内鍔３ｂに当接させて押棒６の後退を規制させ、押棒本体４の後部を尾筒３の後端開口３ａから露出させて、押棒６のプッシュ操作を行う操作部４ｂとしてある。本実施例の押棒６は前述の通り押棒本体４とスリーブ５とからなり、押棒本体４の前方に形成した係止凹部４ｃに前記スリーブ５の後方に形成した小径部５ｄを圧入することで一体に形成してある。スリーブ５の前端外周には外鍔５ｅを形成してあり、外鍔５ｅがインキ収容筒２の内周面に密着した状態でスリーブ５が前後動することで、インキ収容室２ｃ内の空気を加圧したり負圧にしたりすることができる。
尚、本実施例のパイプ８及び移動駒部材１０はステンレスで形成してあり、駒９はフッ素ゴムで形成してある。
【００１５】
次に図２及び図３を用いて、本実施例のインキ吸入装置１によるインキ吸入方法について説明を行う。図２は、押棒６の操作部４ｂをプッシュした状態を示す図であり、図３は、図２の押棒６をプッシュした状態から、押棒６を開放した状態を示す図である。本実施例のインキ吸入装置１は、押棒６の操作部４ｂをプッシュすることによって、図２に示すように、駒９とパイプ８及び移動駒部材１０が自重で前進し、駒９の前方に形成した傾斜面９ａが、インキ収容筒２の前方内面に形成した内段２ｄに当接してインキ及び空気の移動が規制される構造である。本実施例では、フッ素ゴム製の駒９とステンレス製のパイプ８との重さに加え、ステンレス製の移動駒部材１０の重さで駒９が内段２ｄに当接することから、駒９と内段２ｄとの当接状態が安定する。
インキ吸入装置１は、駒９が内段２ｄに当接した状態からさらに押棒６の操作部４ｂをプッシュすることによって、インキ収容室２ｃ内の空気がスリーブ５により加圧されながら、パイプ８の窓孔８ｂから前端開口８ｃを通り、前端開口８ｃに隣設したペン芯１４を通って外部へ抜ける。この状態からペン芯１４をインキ１６に浸けて押棒６の操作部４ｂを開放することによって、図３に示すようにスプリング７の弾発力でスリーブ５が後退し、負圧になったインキ収容室２ｃ内にインキ１６を吸入することができる。本実施例のインキ吸入装置１は、図２の状態と図３の状態とが交互になるよう操作部４ｂへのプッシュ操作を繰り返し行うことで、インキ収容室２ｃにインキ１６を充填することができる。
【００１６】
図４は、インキ収容室２ｃ内のインキ１６が少なくなった状態でペン１５を上に向けた状態を示す図である。図４に示す通り、本実施例のインキ吸入装置１は、ペン１５を上に向けた状態で、スリーブ５の前方に設けた前方凹部５ａに移動駒部材１０が収容されることから、インキ収容室２ｃ内のインキ１６が減少しても移動駒部材１０の前端１０ａがインキ１６の表面１６ａより下にあり、この状態から図１に示したようにペン１５を下に向けた場合には、重力による移動駒部材１０の前進によってインキ１６も前進してペン芯１４側へ移動することができ、すぐに筆記を行うことができた。
【符号の説明】
【００１７】
１…インキ吸入装置、
２…インキ収容筒、２ａ…後端部、２ｂ…前方小径部、２ｃ…インキ収容室、２ｄ…内段、
３…尾筒、３ａ…後端開口、３ｂ…内鍔、
４…押棒本体、４ａ…突部、４ｂ…操作部、４ｃ…係止凹部、
５…スリーブ、５ａ…前方凹部、５ｂ…孔、５ｃ…周縁部、５ｄ…小径部、５ｅ…外鍔、
６…押棒、
７…スプリング、
８…パイプ、８ａ…突出部、８ｂ…窓孔、８ｃ…前端開口、８ｄ…後端開口、
９…駒、９ａ…傾斜面、
１０…移動駒部材、１０ａ…前端、
１１…万年筆、
１２…首部材、１３…内首部材、１４…ペン芯、
１５…ペン、
１６…インキ、１６ａ…表面。
【図１】
0006636389.tif 000002
【図２】
0006636389.tif 000003
【図３】
0006636389.tif 000004
【図４】
0006636389.tif 000005